(57)【特許請求の範囲】
【請求項１】
コック本体と、コック本体の下部に設けた計量器と、コック本体内から計量器内に挿入する弁棒と、弁棒を上下動する操作部とを備え、コック本体と計量器と弁棒は前傾しており、計量器は、コック本体から下方に分離可能であり、弁棒は、計量器からの液体流出口を開閉する第１弁部と、計量器への液体流入口を開閉する第２弁部とを有し、第１弁部及び第２弁部を取付けたままの状態でコック本体から上方に抜き取り自在であり、操作部を操作しない状態では第１弁部が液体流出口を塞ぎ、第２弁部が液体流入口から下方に離間しており、操作部を操作して弁棒を引き上げたときに、第２弁部が液体流入口を塞いだ後に、若しくは第２弁部が液体流入口を塞ぐのと略同時に、第１弁部が液体流出口から離間することを特徴とするコック。
【請求項２】
コック本体と、コック本体の下部に設けた計量器と、コック本体内から計量器内に挿入する弁棒と、弁棒を上下動する操作部とを備え、コック本体と計量器と弁棒は前傾しており、計量器は、コック本体から下方に分離可能であり、弁棒は、計量器からの液体流出口を開閉する第１弁部と、計量器への液体流入口を開閉する第２弁部とを有し、コック本体から上方に抜き取り自在であり、操作部を操作しない状態では第１弁部が液体流出口を塞ぎ、第２弁部が液体流入口から下方に離間しており、操作部を操作して弁棒を引き上げたときに、第２弁部が液体流入口を塞いだ後に、若しくは第２弁部が液体流入口を塞ぐのと略同時に、第１弁部が液体流出口から離間するものであり、計量器は、容量の異なる複数種類のうちから選択して取付けられることを特徴とするコック。
【請求項３】
コック本体と、コック本体の下部に設けた計量器と、コック本体内から計量器内に挿入する弁棒と、弁棒を上下動する操作部とを備え、コック本体と計量器と弁棒は前傾しており、計量器は、コック本体から下方に分離可能であり、弁棒は、計量器からの液体流出口を開閉する第１弁部と、計量器への液体流入口を開閉する第２弁部とを有し、コック本体から上方に抜き取り自在であり、操作部を操作しない状態では第１弁部が液体流出口を塞ぎ、第２弁部が液体流入口から下方に離間しており、操作部を操作して弁棒を引き上げたときに、第２弁部が液体流入口を塞いだ後に、若しくは第２弁部が液体流入口を塞ぐのと略同時に、第１弁部が液体流出口から離間するものであり、弁棒は、第１弁部と第２弁部間の長さの異なる複数種類のうちから選択して取付けられ、且つ計量器が容量の異なる複数種類のうちから選択して取付けられることを特徴とするコック。
【発明の詳細な説明】
【技術分野】
【０００１】
本発明は、液体を一定量ずつ注出できるコックに関する。
【背景技術】
【０００２】
特許文献１には、ウイスキー等の飲料をコップに定量供給する器具が開示されている。この器具は、コップの縁によって押上げ得る給出管１の上部に、連通口２’を閉鎖する弁盤３を装着した昇降体４を一体的に固着してあり、弁盤３及び昇降体４が定量収容器５内に収容された構造となっており、部品数が多く構造が複雑で、分解・洗浄が容易でなかった。特に、定量収容器５のみを分離してその内部を洗浄することができず、不便であった。この種の器具は、液体を注出すると同時に空気を酒瓶内に導入するための機構（空気弁管１１）が必要で、これにより構造が一層複雑になり、また、汚れが付着しやすくなる。さらに同器具は、昇降体４に大きさの異なるブッシュ６を装着することで、定量収容器５の容量を調整できるようになっているが、このブッシュ６の付け替えも容易でない。
【先行技術文献】
【特許文献】
【０００３】
【特許文献１】実公昭４２−６６１６号公報
【発明の概要】
【発明が解決しようとする課題】
【０００４】
本発明は以上に述べた実情に鑑み、液体を一定量ずつ正確に注出することができ、構造が簡単で分解・洗浄が容易に行えるコックの提供を目的とする。
【課題を解決するための手段】
【０００５】
上記の課題を達成するために請求項１記載の発明によるコックは、コック本体と、コック本体の下部に設けた計量器と、コック本体内から計量器内に挿入する弁棒と、弁棒を上下動する操作部とを備え、コック本体と計量器と弁棒は前傾しており、計量器は、コック本体から下方に分離可能であり、弁棒は、計量器からの液体流出口を開閉する第１弁部と、計量器への液体流入口を開閉する第２弁部とを有し、第１弁部及び第２弁部を取付けたままの状態でコック本体から上方に抜き取り自在であり、操作部を操作しない状態では第１弁部が液体流出口を塞ぎ、第２弁部が液体流入口から下方に離間しており、操作部を操作して弁棒を引き上げたときに、第２弁部が液体流入口を塞いだ後に、若しくは第２弁部が液体流入口を塞ぐのと略同時に、第１弁部が液体流出口から離間することを特徴とする。
【０００６】
請求項２記載の発明によるコックは、コック本体と、コック本体の下部に設けた計量器と、コック本体内から計量器内に挿入する弁棒と、弁棒を上下動する操作部とを備え、コック本体と計量器と弁棒は前傾しており、計量器は、コック本体から下方に分離可能であり、弁棒は、計量器からの液体流出口を開閉する第１弁部と、計量器への液体流入口を開閉する第２弁部とを有し、コック本体から上方に抜き取り自在であり、操作部を操作しない状態では第１弁部が液体流出口を塞ぎ、第２弁部が液体流入口から下方に離間しており、操作部を操作して弁棒を引き上げたときに、第２弁部が液体流入口を塞いだ後に、若しくは第２弁部が液体流入口を塞ぐのと略同時に、第１弁部が液体流出口から離間するものであり、計量器は、容量の異なる複数種類のうちから選択して取付けられることを特徴とする。
【０００７】
請求項３記載の発明によるコックは、コック本体と、コック本体の下部に設けた計量器と、コック本体内から計量器内に挿入する弁棒と、弁棒を上下動する操作部とを備え、コック本体と計量器と弁棒は前傾しており、計量器は、コック本体から下方に分離可能であり、弁棒は、計量器からの液体流出口を開閉する第１弁部と、計量器への液体流入口を開閉する第２弁部とを有し、コック本体から上方に抜き取り自在であり、操作部を操作しない状態では第１弁部が液体流出口を塞ぎ、第２弁部が液体流入口から下方に離間しており、操作部を操作して弁棒を引き上げたときに、第２弁部が液体流入口を塞いだ後に、若しくは第２弁部が液体流入口を塞ぐのと略同時に、第１弁部が液体流出口から離間するものであり、弁棒は、第１弁部と第２弁部間の長さの異なる複数種類のうちから選択して取付けられ、且つ計量器が容量の異なる複数種類のうちから選択して取付けられることを特徴とする。
【発明の効果】
【０００８】
請求項１記載の発明によるコックは、操作部を操作しない状態では第１弁部が液体流出口を塞ぎ、第２弁部が液体流入口から下方に離間しており、操作部を操作して弁棒を引き上げたときに、第２弁部が液体流入口を塞いだ後に、若しくは第２弁部が液体流入口を塞ぐのと略同時に、第１弁部が液体流出口から離間することで、操作部を１回操作する毎に液体を一定量ずつ正確に注出できる。コック本体と計量器と弁棒が前傾していることで、空気を導入するための機構を別途設けることなく、液体と空気の置換がスムーズになされる。さらに、計量器がコック本体から下方に分離可能であり、弁棒は第１弁部及び第２弁部を取付けたままの状態でコック本体から上方に抜き取り自在なため、分解、洗浄が容易に行える。
【０００９】
請求項２記載の発明によるコックは、計量器を容量の異なるものに付け替えるだけで、１回に注出する液体の量を簡単に変えることができる。
【００１０】
請求項３記載の発明によるコックは、弁棒を第１弁部と第２弁部間の長さが異なるものに付け替え、且つ計量器を容量の異なるものに付け替えることで、一回の注出量をより大きく変えることができる。
【図面の簡単な説明】
【００１１】
【図１】本発明のコックの一実施形態を示す縦断面図である。
【図２】同コックの側面図である。
【図３】図２のＸ矢視図である。
【図４】図２のＹ矢視図である。
【図５】同コックの分解した状態を示す縦断面図である。
【図６】同コックを備える飲料供給装置の全体構成を示す側面図である。
【図７】同飲料供給装置におけるコックとスタンドとの接続部を示す平面図である。
【図８】同コックの使用状態を示す縦断面図であって、操作部を途中まで操作した状態を示す。
【図９】同コックの使用状態を示す縦断面図であって、操作部を限界まで操作した状態を示す。
【図１０】同コックの使用状態を示す縦断面図であって、飲料を注出した後に操作部を戻した状態を示す。
【図１１】計量器を容量の小さいものに付け替えた状態を示す縦断面図である。
【図１２】弁棒を第１弁部と第２弁部間の長さが長いものに付け替えると共に、計量器を容量の大きなものに付け替えた状態を示す縦断面図である。
【図１３】図１２の状態から計量器を容量の小さいものに付け替えた状態を示す縦断面図である。
【発明を実施するための形態】
【００１２】
以下、本発明の実施の形態を図面に基づいて説明する。図６は、本発明のコック９を備える飲料供給装置を示している。この飲料供給装置は、ウイスキー等の酒類その他の液体の入った瓶１０の口部１０ａにコック９を接続し、これをテーブル１１の縁に固定したスタンド１２に逆立ち状態に保持し、コック９の操作部４をグラス１３等で押して操作することで、瓶１０の中のウイスキー等の液体がグラス１３等に一定量注がれ、これに水や炭酸水、氷などを加えることで、水割りやハイボール等が簡単に作れるものである。
【００１３】
コック９にはスタンドとの接続部品１４が設けてあり、接続部品１４には図７に示すように横断面が五角形の差込部１５が設けてあり、その差込部１５をスタンド１２に形成された平面視五角形の孔１６に上方から差し込むことで、コック９がスタンド１２と接続されている。このように差込部１５とこれが差し込まれる孔１６が五角形に形成してあるので、差込部１５を孔１６に向きを変えて差し込むことで、コック９を正面に向けたり横に向けたりが簡単にできる。スタンド１２には、瓶１０の底をバネ１７の力で下向きに押して瓶１０を安定して保持できる瓶底保持部１８を有している。瓶底保持部１８は、上下方向に摺動して大きさの異なる瓶１０に対応できるようになっている。
【００１４】
コック９は、図１〜４に示すように、コック本体１と、コック本体１の上側開口部１９に取付けられる蓋体２０と、コック本体９の下側開口部２１に取付けられる計量器２ａと、計量器２ａをコック本体１に保持するためのリング体２２と、蓋体２０とコック本体１と計量器２ａの中心に挿入した弁棒３ａと、弁棒３ａを下向きに付勢するコイルバネ２３と、弁棒３ａの上端部に連結した操作部４とを備える。
【００１５】
コック本体１は、図１に示すように、上下に貫通する空室２４を備え、空室２４の後方に連続して瓶１０の口部１０ａに差し込まれる連結管２５を垂直に立ち上げて設けてある。連結管２５には、瓶１０の口部１０ａの内径に応じたパッキン２６が取付けられる。連結管２５の内部には仕切り２７が設けられ、液体と空気の流路を確保している。空室２４は、上部と下部が円形に開口しており、空室２４の中心軸Ｃは鉛直方向に対して前側に傾いている。その前傾角度θは、５〜１５°が好適であり、図示のものは前傾角度θを１２°としてある。空室２４の下部には、計量器２ａへの液体流入口６がくびれた形で設けてあり、それよりも下方の外周部には、リング体２２と螺合するネジ２８が形成されている。空室２４の下端面には、計量器２ａの上端面と密着するパッキン２９が設けてある。
【００１６】
計量器２ａは、上面側が開放した略お椀型に形成され、下面側の中心部に液体流出口５が設けてある。液体流出口５は、上側の開口縁部がＲ状に面取りしてあり、下方に向かうにつれて内径が小さくなるようにテーパー状に形成されている。コック本体１の空室２４が前傾しているため、計量器２ａも同じ角度で前傾して設けてある。計量器２ａは、上端面をコック本体１の下端面にあてがい、リング体２２を回してネジ２８を締付けることで、パッキン２９が若干押し潰された状態となり、コック本体１に密着して取付けられる。リング体２２を逆に回転させてコック本体１から外せば、計量器２ａはコック本体１の下方に分離できる。
蓋体２０は、コック本体１の上側開口部１９に、ネジ４５により着脱自在に取付けてある。
【００１７】
弁棒３ａは、図１に示すように、シリコンゴム製の弁体３０の中心に樹脂製のシャフト３１を挿入して構成してあり、コック本体１及び計量器２ａの前傾に平行して往復移動する。弁体３０は、計量器２ａからの液体流出口５を開閉する第１弁部７と、計量器２ａへの液体流入口６を開閉する第２弁部８とを、上下方向に間隔をおいて設けてある。第１弁部７と第２弁部８は、外周側に向かうにつれて厚みが薄くなった円形のフィン状に形成されており、柔軟に変形できるようになっている。図１に示すように、操作部４を操作しない状態では、弁棒３ａはコイルバネ２３により下向きに押されており、第１弁部７が上向き曲がるような形で変形して液体流出口５を上から塞いでおり、第２弁部８は液体流入口６から下方に離間している。よって、コック本体１内及び計量器２ａ内が液体３２で満たされている。
弁体３０は、上部にコイルバネ２３の収容部３３を有しており、上端部にフランジ３４が形成してあり、フランジ３４がコック本体１の上側開口部１９と蓋体２０との間に挟み込んである。これにより、液体３２がコイルバネ２３と接触しないようになっている。フランジ３４と蓋体２０との間には、滑りの良い樹脂で形成したスペーサー３５が設けてある。このようにスペーサー３５を設けることで、弁棒３ａ及び操作部４を中心軸Ｃ周りに回転させることができる。
弁棒３ａは、蓋体２０の中心に設けた孔３６より上方に突出しており、その突出した上部に操作部４と連結するためのフック部３７が設けてある。
【００１８】
操作部４は、図１〜３に示すように、蓋体２０上に位置する連結部３８と、連結部３８より下方に垂下したアーム部３９と、アーム部３９の下端部よりコック９の両側を跨ぐように後方に延びる押し付け操作部４０とを有しており、連結部３８に設けた横棒４１を弁棒３ａのフック部３７に引っ掛けて取付けられる。
【００１９】
次に、本コック９の操作方法を説明する。図１に示すように、操作部４を操作しない状態では、弁棒３ａは最も下降しており、このとき第１弁部７が上向きに曲がるように変形した状態で計量器２ａの液体流出口５を上から塞いでおり、第２弁体部８は計量器２ａへの液体流入口６から下方に離間した位置にある。そのため、瓶１０の中の液体３２が液体流入口６から計量器２ａ内に流れ込み、計量器２ａ内に溜まる。
図８に示すように、操作部４の押し付け操作部４０にグラス１３等を押し付けると、操作部４が上部の横軸４１を支点に回動し、それに伴って操作部４の連結部３８の下縁が前側に傾いて蓋体２０を押し、てこの作用により弁棒３ａが引き上げられる。当初、第１弁部７は上向きに曲がるような形で変形しているため（図１参照）、弁棒３ａの引き上げ初期の段階では計量器２ａの液体流出口５は第１弁部７で塞がれたままとなっており、図８に示すように、第２弁部８が計量器２ａへの液体流入口６を塞いだ後に、第１弁部７が計量器２ａの液体流出口５から離れるようになっている。なお、第１弁部７が液体流出口５から離れるタイミングは、第２弁部８が液体流入口６を塞ぐのと略同時であってもよい。
その後、図９に示すように、操作部４の押し付け操作部４０を後方に限界まで押すと、第１弁部７が計量器２ａの液体流出口５から上方に離間し、第２弁部８は下向きに曲がるように変形した状態で計量器２ａへの液体流入口６を塞ぐ。これにより、計量器２ａ内に溜まっていた一定量の液体３２が液体流出口５よりグラス１３等に注がれる。
その後、操作部４の押し付け操作部４０からグラス１３等を離すと、コイルバネ２３の付勢力により弁棒３ａが下降し、計量器２ａの液体流出口５が第１弁部７により塞がれ、その後に計量器２ａへの液体流入口６から第２弁部８が下方に離間し、図１０の矢印４２に示すように、瓶１０内の液体３２が連結管２５から液体流入口６を通じて計量器２ａ内に流入する。その際、液体３２が計量器２ａ内に流入するのと入れ替わりに、計量器２ａ内の空気４３が、図中の矢印４４に示すように、第２弁部８の下面等を伝い、連結管２５を通じて瓶１０内へと流れる。このように本コック９は、コック本体１と計量器２ａと弁棒３ａが前傾していることで、空気４３を瓶１０に導入するための機構を別途設けることなく、液体３２と空気４３の置換がスムーズになされる。
【００２０】
また本コック９は、図５に示すように、簡単に部品ごとに分解し、洗浄することができる。分解する際の手順を説明すると、まずリング体２２をネジ２８で回して外し、計量器２ａをコック本体１から下方に分離する。次に、弁棒３ａを下方より指で押上げつつ、弁棒３ａのフック部３７から操作部４の横棒４１を外し、操作部４を分離する。次に、蓋体２０を取外し、弁棒３ａをコック本体１から上方に引き抜き、スペーサー３５及びコイルバネ２３を弁棒３ａから分離する。さらに弁棒３ａは、弁体３０とシャフト３１とに分離することができる。
組立てる際は、分解するときと逆の手順で行う。このように本コック９は、部品ごとに容易に分解し、洗浄することができるので、衛生的である。
【００２１】
図１１は、計量器２ａを図１のものより容量の小さい計量器２ｂに付け替えた状態を示している。この計量器２ｂは、上下寸法が図１の計量器２ａと同じであるが、径が略一定の略円柱状となっており、外周側に膨らむ部分がない分だけ容量が小さくなっている。液体流出口５の形状は、図１の計量器２ａと同じ形状となっている。
【００２２】
図１２は、弁棒３ａを第１弁部７と第２弁部８間の長さが長い弁棒３ｂに付け替え、計量器２ａをその第１弁部７と第２弁部８間の長さに対応した、上下寸法が長く容量が大きい計量器２ｃに付け替えた状態を示している。
図１３は、図１２と同じく第１弁部７と第２弁部８間の長さが長い弁棒３ｂを用い、計量器を図１２のものよりも小径で容量の小さい計量器２ｄに付け替えた状態を示している。
【００２３】
このように本コック９は、弁棒が短いタイプ３ａと長いタイプ３ｂの２種類のうちから選択でき、それぞれの弁棒３ａ，３ｂ用に計量器２ａ，２ｂ，２ｃ，２ｄが大小２種類ずつ用意されているので、弁棒３ａ，３ｂと計量器２ａ，２ｂ，２ｃ，２ｄを付け替えることで、１回の注出量を４通りに変えることができる。これにより、グラス１３やジョッキ等の液体３２が注がれる容器の大きさの違いに対応したり、アルコールの濃さを変化させたりするのが容易に行える。
【００２４】
以上に述べたように本コック９は、操作部４を操作しない状態では第１弁部７が液体流出口５を塞ぎ、第２弁部８が液体流入口６から下方に離間しており、操作部４を操作して弁棒３ａ，３ｂを引き上げたときに、第２弁部８が液体流入口６を塞いだ後に第１弁部７が液体流出口５から離間することで、操作部４を１回操作する毎に一定量ずつ正確に液体３２を注出できる。コック本体１と計量器２ａ，２ｂ，２ｃ，２ｄと弁棒３ａ，３ｂが前傾していることで、空気を導入するための機構を別途設けることなく、液体３２と空気４３の置換がスムーズになされる。さらに、計量器２ａ，２ｂ，２ｃ，２ｄがコック本体１から下方に分離可能であり、弁棒３ａ，３ｂはコック本体１から上方に抜き取り自在なため、分解、洗浄が容易に行える。第１弁部７と第２弁部８とが柔軟に変形し得るため、弁棒３ａ，３ｂの上下ストロークを第１弁部７と第２弁部８が変形することで吸収し、液体流入口６と液体流出口５を開け閉めするタイミングを最適な状態に設定し、定量注出を正確に行える。
また本コック９は、計量器２ａ，２ｂ，２ｃ，２ｄを容量の異なるものに付け替えるだけで、１回に注出する液体３２の量を簡単に変えることができる。
さらに本コック９は、弁棒３ａ，３ｂを第１弁部７と第２弁部８間の長さが異なるものに付け替え、且つ計量器２ａ，２ｂ，２ｃ，２ｄを容量の異なるものに付け替えることで、一回の注出量をより大きく変えることができる。
本コック９は、操作部４に押し付け操作部４０を下方に垂下して設けてあり、押し付け操作部４０をグラス１３等で後方に押すことで液体３２が注出されるようにしたので、従来のようにコップの縁で給出管を押し上げるものよりも操作がしやすい。
【００２５】
本発明は以上に述べた実施形態に限定されない。コック本体や弁棒、操作部等の形態は、適宜変更することができる。本発明のコックは、ウイスキー、焼酎等の酒類の注出をはじめとして、飲料等の注出に広く用いることができる。本発明のコックが接続される飲料等の容器は任意であり、瓶に限らず、ペットボトル等であってもよい。
【符号の説明】
【００２６】
１  コック本体
２ａ，２ｂ，２ｃ，２ｄ  計量器
３ａ，３ｂ  弁棒
４  操作部
５  液体流出口
６  液体流入口
７  第１弁部
８  第２弁部
９  コック
【図１】
0006677477.tif 000002
【図２】
0006677477.tif 000003
【図３】
0006677477.tif 000004
【図４】
0006677477.tif 000005
【図５】
0006677477.tif 000006
【図６】
0006677477.tif 000007
【図７】
0006677477.tif 000008
【図８】
0006677477.tif 000009
【図９】
0006677477.tif 000010
【図１０】
0006677477.tif 000011
【図１１】
0006677477.tif 000012
【図１２】
0006677477.tif 000013
【図１３】
0006677477.tif 000014